(57)【要約】【課題】  鍵受けが、外召し合せ框内部に格納されている場合であっても、位置を容易に調整することができる施錠装置を有する開口部装置を提供する。【解決手段】  四辺の枠体と、この枠体内に配置された複数の障子とを備えるとともに、前記複数の障子のうち少なくとも１枚の障子は左右方向に移動可能に構成され、室内側障子の内召合わせ框に回動自由に取り付けられた鍵片と、室外側障子の外召合わせ框に設けられた鍵受けとを備え、前記鍵片が前記鍵受けの係合部に係合されることにより施錠が行われる開口部装置であって、前記鍵受けが、係合部の位置を微調整可能な位置調整手段を有し、前記外召し合わせ框の見込み面には、前記位置調整手段の操作を可能とする窓を設ける。【選択図】      図１
2006118134.tif 000002
【特許請求の範囲】
【請求項１】
四辺の枠体と、この枠体内に配置された複数の障子とを備えるとともに、前記複数の障子のうち少なくとも１枚の障子は左右方向に移動可能に構成され、
室内側障子の内召合わせ框に回動自由に取り付けられた鍵片と、室外側障子の外召合わせ框に設けられた鍵受けとを備え、前記鍵片が前記鍵受けの係合部に係合されることにより施錠が行われる開口部装置であって、
前記鍵受けが、係合部の位置を微調整可能な位置調整手段を有し、
前記外召合わせ框の見込み面には、前記位置調整手段の操作を可能とする窓が設けられている開口部装置。
【請求項２】
前記位置調整手段が、前記係合部の上下方向の位置調整を行う上下位置調整手段、及び左右方向の位置調整を行う左右位置調整手段を備えている請求項１に記載の開口部装置。
【請求項３】
前記鍵片が、前記内召合わせ框から突没可能に構成されるとともに、前記鍵受けが前記外召合わせ框の内部に配置されている請求項１または２に記載の開口部装置。
【発明の詳細な説明】
【技術分野】
【０００１】
本発明は、サッシ等の開口部装置に関し、特に、施錠装置の位置調整が容易な開口部装置に関する。
【背景技術】
【０００２】
サッシ等の開口部装置は、召し合わせ框部分に施錠装置を有するのが一般的である。例えば、特許文献１に記載の開口部装置においては、内障子の内召合わせ框に施錠・開錠を操作する機構本体部分（以下、「鍵本体」という。）が設けられ、外障子の外召合わせ框に受け（以下、「鍵受け」という。）が設けられている。また、鍵受けは、外召合わせ框における室内側の面に、室内側からビス等により固定されている。
【特許文献１】特開２００１−８２０１９号公報
【発明の開示】
【発明が解決しようとする課題】
【０００３】
開口部装置を設置する際には、外障子および内障子を枠体内にはめ込んだ後において、鍵本体および鍵受けの微妙な位置調整が行われる。この際、内召合わせ框に設けた鍵本体については、鍵本体の設置部分が室内側に露出しているので、ビス等を調整することによって、鍵本体の位置を容易に調整することができる。
【０００４】
図８ａに開口部装置の施錠状態を上方から見た横断面図を示した。また、図８ｂに開口部装置を開錠して、内障子２０を図８ｂの左側に、外障子３０を図８ｂの右側に移動させた状態を上方から見た横断面図を示した。このように、鍵受け６０の位置を調整するためには、図８ｂに示すように内外の障子２０、３０を移動させて、外召合わせ框３２の室内側の面を露出させた状態（以下、この状態を「やりこし状態」と云うことがある。）で、鍵受け６０の位置を調整する必要があった。
【０００５】
また、近年、開口部装置の開口部の面積が大きくなり、そのため内障子２０および外障子３０が高重量化している。そこで、図９ａに施錠状態、図９ｂに開錠状態を示したように、開口部装置の縦框に取手９０を設けて、高重量の障子の開閉を容易にすることがなされている。また、障子を開いた際に、内召合わせ框２２が取手にぶつかるのを防止するために、外障子３０にストッパ９５が設けられる場合もある。
【０００６】
しかし、このように縦框に取手９０またはストッパ９５を設けた場合は、図９ｂに示すように、障子の移動が妨げられ、図８ｂに示すように、障子をやりこし状態とすることができない。そこで、鍵受け６０の位置を調整するためには、図９ｃに示すように、内障子２０を枠体から取り外す必要があり、この場合、高重量の障子を取り外すことから、作業性が悪いものであった。また、鍵受け６０の微妙な位置調整をするためには、さらに内障子２０を取り付け、鍵本体との位置を確認して、さらに取り外して位置調整をするというように、取り付けおよび取り外し作業を繰り返す必要があり、非常に作業性の悪いものであった。
【０００７】
また、特に、クレセント錠の場合は、施錠によって、外召合わせ框３２を内召合わせ框２２に引きつけ、かつ外召合わせ框３２と内召合わせ框２２を左右に引き分けることにより開口部装置の気密性および水密性を高めることから、鍵受け６０の位置を正確に調整ことが必要であり、作業性よく調整できる手段が求められていた。
【０００８】
そこで、本発明は、鍵受け６０の位置を容易に調整することができる施錠装置を有する開口部装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１の発明は、四辺の枠体（１０）と、この枠体内に配置された複数の障子とを備えるとともに、前記複数の障子のうち少なくとも１枚の障子は左右方向に移動可能に構成され、室内側障子（２０）（以下、「内障子２０」ということがある。）の内召合わせ框（２２）に回動自由に取り付けられた鍵片（５２、５２ａ）と、室外側障子３０（以下、「外障子３０」ということがある。）の外召合わせ框（３２）に設けられた鍵受け（６０）とを備え、鍵片（５２、５２ａ）が鍵受け（６０）の係合部（６２、６２ａ）に係合されることにより施錠が行われる開口部装置であって、鍵受け（６０）が、係合部（６２、６２ａ）の位置を微調整可能な位置調整手段を有し、外召合わせ框（３２）の見込み面（３６）には、位置調整手段の操作を可能とする窓（６３、６３ａ）が設けられている、開口部装置（１００、２００）である。
【００１１】
請求項２の発明は、位置調整手段が、係合部（６２、６２ａ）の上下方向の位置調整を行う上下位置調整手段（６７ａ）、及び左右方向の位置調整を行う左右位置調整手段（６７ｂ）を備えている請求項１に記載の開口部装置（１００、２００）である。
【００１２】
請求項３の発明は、鍵片（５２）が、内召合わせ框（２２）から突没可能に構成されるとともに、鍵受け（６０）が外召合わせ框（３２）の内部に配置されている請求項１または２に記載の開口部装置（１００）である。
【発明の効果】
【００１３】
請求項１の発明によれば、外障子の外召合わせ框内に設けた鍵受けにおける係合部の位置を、外召合わせ框の見込み面に設けた窓から調整することができるので、内外の障子をやりこし状態とすることができない開口部装置においても、容易に係合部の位置を調整することができる。
【００１４】
請求項２の発明によれば、係合部の上下位置調整手段および左右位置調整手段により、係合部の微妙な位置を調整することができ、特に、係合部の位置調整が重要なクレセント錠を用いる場合においても、係合部の位置調整を容易にすることができる。
【００１５】
請求項３の発明によれば、施錠装置の位置を外部から視認することができないので、施錠装置近傍のガラスパネルを割って、手を差し入れて、開錠をはかることが容易ではなくなり、防犯性を高めることができる。
【発明を実施するための最良の形態】
【００１６】
以下本発明を図面に示す実施形態に基づき説明する。
本発明の開口部装置１００は、四辺の枠体１０と、この枠体内に配置された複数の障子と、施錠装置４０とを備えている。障子としては、典型的には、内障子２０および外障子３０からなる左右二枚の引き違い障子を挙げることができるが、召合わせ框を有する障子であればよく、四枚障子等であってもよいし、あるいは、内障子２０または外障子３０のいずれかが固定されている片引き障子であってもよい。
【００１７】
図１は、本発明の一実施形態の開口部装置１００を室内側から見た斜視図である。図示した実施形態においては、左右二枚の内障子２０および外障子３０が、四辺の枠体１０内を左右方向に移動可能に構成されている。内障子２０および外障子３０における内召合わせ框２２および外召合わせ框３２には、施錠装置４０が設けられている。
【００１８】
図２は、施錠装置４０の箇所を拡大して示した、室内側からみた斜視図である。図示した実施形態の施錠装置４０は、鍵本体５０（図３参照）および鍵受け６０（図５参照）を具備し、鍵本体５０は内召合わせ框２２内に格納され、鍵受け６０は外召合わせ框３２内に格納されている。内召合わせ框２２の室内側の面２６には、鍵本体５０を操作するための操作窓４２が設けられている。また、操作窓４２には、意匠性の向上および防犯のための蓋材４４が設けられている。蓋材４４はその上部につまみが設けられていて、このつまみを室内側からつまんで、蓋材４４を上下に操作することにより、操作窓４２の開閉が行われる。操作窓４２が開放された状態において、上記鍵本体５０を室内側から操作することが可能となる。蓋材４４の上部にはシリンダー錠４６が設けられている。シリンダー錠４６を施錠することにより、操作窓４２の開放はできなくなり、シリンダー錠４６を所持する者以外は、施錠装置４０の操作は不可能となるように構成されている。なお、本発明においてシリンダー錠４６の設置の有無は任意である。また、シリンダー錠に変えて、無線式の電子錠を設置しても良く、この場合には、防犯性に加えてさらに操作性も向上する。また、外召合わせ框３２の見込み面３６には、後に説明する操作窓６３が設けられている。
【００１９】
図３ａは、開錠状態の鍵本体５０、図３ｂは、施錠状態の鍵本体５０を図１の左方向からみた側面図である。鍵本体５０は、鍵片５２を備えたレバー部５５を具備し、レバー部５５の室外側の端部が支軸５４に軸支され、台座５３に回動自在に取り付けられている。台座５３は、上下に配置された固定金具５１ａ、５１ｂを通して内召合わせ框２２内に固定されている。図３ａの状態から、図３ｂの状態へ、レバー部５５を下から上へ持ち上げることによって、鍵片５２が支軸５４の回りに回動されて、後述する内召合わせ框２２の室外側の面２４に設けられた窓部２８から突出して（図４参照）、外障子３０の外召合わせ框３２内に設けられた鍵受け６０に係合し、施錠装置４０が施錠される。
【００２０】
図４は、内召合わせ框２２の鍵本体５０が格納されている部分を拡大して示した、室外側からみた斜視図である。内召合わせ框２２の室外側の面２４には、鍵片５２を室外方向へ突出させるための窓部２８が設けられている。上記の如く鍵本体５０におけるレバー部５５を下から上へ操作することにより、鍵片５２が支軸５４の回りに回動されつつ窓部２８から室外側に突出し、外障子３０に設けられた鍵受け６０に係合されることにより、開口部装置１００の施錠がなされる。
【００２１】
図５は、外召合わせ框３２において鍵受け６０が格納されている部分を拡大して示した、室内側からみた斜視図である。外召合わせ框３２の室内側の面３４には、鍵受け６０を室内側に露出する窓３５が設けられている。この窓３５から内召し合せ框２２内から、使用者の施錠操作によって突出してくる鍵本体５０の鍵片５２を受け入れて、鍵片５２と鍵受け６０とが係合されることにより施錠がされる。
【００２２】
鍵受け６０は、上下に配置された固定金具６１ａ、６１ｂにより、外召合わせ框３２の内部に固定されている。鍵受け６０に設けられた係合部６２は、外召合わせ框３２の室内側の面３４から突出せずに、外召合わせ框３２内部に収まっている。
【００２３】
また、見込み面３６には、後に説明する左右位置調整ネジ６７ａおよび上下位置調整ネジ６７ｂを操作するための操作窓６３が設けられている。操作窓６３には、外部から外召合わせ框３２内に雨水や塵等が侵入するのを防ぐために、蓋６３ｃが設けられている。係合部６２の位置を調整する際には、蓋６３ｃを取り外して、外召合わせ框３２内部の鍵受け６０の側面に設けられた左右位置調整ネジ６７ａおよび上下位置調整ネジ６７ｂを、外召合わせ框３２の見込み面３６方向から、ドライバー等により調整する。
【００２４】
図６は、外召合わせ框３２内に格納されている鍵受け６０の斜視図である。鍵受け６０は、鍵本体５０の鍵片５２と係合する係合部６２を有し、この係合部６２の位置を調整できる位置調整手段を有する。図示した実施形態においては、鍵受け６０は、固定部材６４および可動部材６６を備えている。固定部材６４は、横断面略コの字形状であり、上下の端部が室外方向に傾斜を持つように形成されている。室内側の面６４ａには、その縦方向中央部において、幅方向略全長にわたり開放された窓６４ｂが形成されている。そしてこの窓６４ｂが、外召し合せ框３２の室内側面３４に形成された窓３５（図５参照）内に配置されるように固定部材６４が、外召し合わせ框３２に取り付けられている。
【００２５】
可動部材６６は、見込み面に平行かつ上下に長手方向を有する本体１６６と、本体１６６の中央部において見付け方向に略直角に折り曲げられた半円凸状の係合部６２とを備えている。可動部材６６は、この係合部６２が、固定部材６４の窓６４ｂから露出するように、固定部材６４内部に収納されている。
【００２６】
固定部材６４の側面６４ｃには、図６の上下方向に長径を有する長孔６５ａ、６５ｂが設けられ、もう一方の側面６４ｄには、図６の上下方向に長径を有する長孔６５ｃ、６５ｄが設けられている。長孔６５ａ、６５ｃには、左右位置調整ネジ６７ａが差し渡されている。また、長孔６５ｂ、６５ｄには、上下位置調整ネジ６７ｂが差し渡されている。
【００２７】
左右位置調整ネジ６７ａは、その中間部分にて可動部材本体１６６に設けられた孔６６ａに螺合している。上下位置調整ネジ６７ｂは、その中間部分にて可動部材本体１６６に設けられた孔６６ｂを貫通している。孔６６ｂは、上下位置調整ネジ６７ｂの外径よりわずかに大きな直径を有する孔であり、可動部材６６は上下位置調整ネジ６７ｂ上において、図６における左右に摺動可能である。
【００２８】
本発明における「位置調整手段」とは、上記の固定部材６４、可動部材本体１６６、左右位置調整ネジ６７ａおよび上下位置調整ネジ６７ｂを具備する機構をいう。また、「左右位置調整手段」とは、左右位置調整ネジ６７ａ、固定部材６４および可動部材本体１６６を具備する機構をいい、「上下位置調整手段」とは、上下位置調整ネジ６７ｂ、固定部材６４および可動部材本体１６６を具備する機構をいう。
【００２９】
図７に、鍵受け６０を室内方向から見た正面図を示す。左右位置調整ネジ６７ａ上の固定部材６４と可動部材６６との間には、コイルバネ６９ａが圧縮された状態で配置されている。このコイルバネ６９ａによって、可動部材６６は、図７の左方向に付勢され、可動部材６６の左右位置を固定している。
【００３０】
上下位置調整ネジ６７ｂは、側面６４ｃにおいて、長孔６５ｂを挟んだ反対側に位置するナット６８により固定部材６４に固定されている。上下位置調整ネジ６７ｂおよびナット６８には、互いにネジが形成されている。また、ナット６８と可動部材６６との間にはコイルバネ６９ｂが圧縮された状態で配置されており、ナット６８を図７の右方向に付勢している。これにより、上下位置調整ネジ６７ｂとナット６８を締めることができ、固定部材６４と固定することができる。
【００３１】
左右位置調整ネジ６７ａと可動部材６６の孔６６ａとは上記の通り螺合されているので、左右位置調整ネジ６７ａを回転することによって、可動部材６６を左右に移動することができる。例えば、左右位置調整ネジ６７ａを締めると、可動部材６６がコイルバネ６９ａの付勢に抗して図７の右方向に移動し、ネジ６７ａをゆるめると、可動部材６６は、コイルバネ６９ａの付勢により図７の左方向に移動する。これにより、可動部材６６に設けた係合部６２の左右の位置を調整することができる。
【００３２】
上下位置調整ネジ６７ｂをゆるめると、上下位置調整ネジ６７ｂを長孔６５ｂ、６５ｄに沿って上下に移動することができるようになる。この上下移動に伴って、可動部材６６も上下に移動し、また、左右位置調整ネジ６７ａも長孔６５ａ、６５ｃに沿って上下に移動する。このようにして、可動部材６６に設けた係合部６２の上下位置を調整し、適当な位置において、ふたたび、上下位置調整ネジ６７ｂとナット６８とを締めて、可動部材６６と固定部材６４とを固定する。
【００３３】
本発明の開口部装置１００においては、上記において説明した鍵受け６０を、外召合わせ框３２内に有し、この外召合わせ框３２の見込み面３６から、上記の上下位置調整手段および左右位置調整手段を操作することができ、内外の障子２０、３０をやりこし状態としなくても、係合部６２の位置を容易に調整することができる開口部装置１００である。また、上記において説明した実施形態の開口部装置においては、内召し合わせ框２２内に鍵本体５０が格納され、外召合わせ框３２内に鍵受け６０が格納されているので、室外側から施錠装置の位置を確認することができないので、防犯性を高めることができる。
【００３４】
図１０に本発明の他の実施形態にかかる開口部装置２００を上方から見た横断面図を示す。図示したように、開口部装置２００は、鍵本体５０ａを内召合わせ框２２の見込み面上に設け、鍵受けの位置調整手段６４、６６、６７を外召合わせ框３２内に格納しつつ、係合部６２ａを外召合わせ框３２の外部に突出させて設けている。この場合においても、外召合わせ框３２の見込み面３６に設けられた窓６３ａから、位置調整ネジ６７を操作することができ、内外の障子２０、３０をやりこし状態としなくても、係合部６２ａの位置を容易に調整することができる。
【００３５】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３６】
【図１】本発明の一実施態様の開口部装置１００を室内側から見た状態を示す斜視図である。
【図２】図１において、施錠装置４０の箇所を拡大して示した斜視図である。
【図３ａ】開錠状態の鍵本体５０を、図１の左方向から見た側面図である。
【図３ｂ】施錠状態の鍵本体５０を、図１の左方向から見た側面図である。
【図４】内召合わせ框２２を室外方向から見た斜視図である。
【図５】外召合わせ框３２を室内方向から見た斜視図である。
【図６】鍵受け６０を室内方向から見た斜視図である。
【図７】鍵受け６０を室内方向から見た正面図である。
【図８】従来の開口部装置を示した横断面模式図である。
【図９】従来の開口部装置を示した横断面模式図である。
【図１０】本発明の他の実施形態にかかる開口部装置を示した横断面図である。
【符号の説明】
【００３７】
１０  枠体
２０  内障子
２２  内召合わせ框
２４  内召合わせ框の室外側面
２８  窓部
３０  外障子
３２  外召合わせ框
３４  外召合わせ框の室内側面
３６  外召合わせ框の見込み面
４０  施錠装置
５０、５０ａ  鍵本体
５１  固定金具
５２、５２ａ  鍵片
５３  台座
５４  支軸
５５  レバー部
６０  鍵受け
６１  固定金具
６２、６２ａ  係合部
６３、６３ａ  窓
６３ｃ  蓋
６４  固定部材
６５  長孔
６６  可動部材
６６ａ、６６ｂ  孔
６７ａ  左右位置調整ネジ
６７ｂ  上下位置調整ネジ
６８  ナット
６９  コイルバネ
１００、２００  開口部装置
【図１】
2006118134.tif 000003
【図２】
2006118134.tif 000004
【図３ａ】
2006118134.tif 000005
【図３ｂ】
2006118134.tif 000006
【図４】
2006118134.tif 000007
【図５】
2006118134.tif 000008
【図６】
2006118134.tif 000009
【図７】
2006118134.tif 000010
【図８】
2006118134.tif 000011
【図９】
2006118134.tif 000012
【図１０】
2006118134.tif 000013